(57)【要約】【課題】シース外面にプリントされたケーブル識別情報が汚損されたり剥がれ落ちたりすることを防止した通信用ケーブルを提供する。【解決手段】本発明による通信用ケーブル１，２は、複数の信号線等を収納したケーブルコア１１，２１の外周をシース１２，２２で覆ったもので、シース１２，２２の外面に溝状の凹部１３，２３を有し、凹部に通信用ケーブルを識別する識別情報がプリントされる。凹部は、通信用ケーブルの長手方向に沿って連続的又は間欠的に形成され、また、凹部を螺旋状又はＳＺ状に複数条形成してもよい。凹部１３，２３の深さは、シースの厚みの１０％以上であることが好ましい。【選択図】図１
2011023274.tif 000002
【特許請求の範囲】
【請求項１】
複数の信号線等を収納したケーブルコアの外周をシースで覆った通信用ケーブルであって、
前記シースの外面に溝状の凹部を有し、前記凹部に通信用ケーブルを識別する識別情報がプリントされていることを特徴とする通信用ケーブル。
【請求項２】
前記凹部は、ケーブルの長手方向に沿って連続的又は間欠的に形成されていることを特徴とする請求項１に記載の通信用ケーブル。
【請求項３】
前記凹部が、螺旋状又はＳＺ状に複数条形成されていることを特徴とする請求項２に記載の通信用ケーブル。
【請求項４】
前記凹部の深さは、前記シースの厚みの１０％以上であることを特徴とする請求項１〜３の何れかに記載の通信用ケーブル。
【発明の詳細な説明】
【技術分野】
【０００１】
本発明は、通信用ケーブルに関し、特に、シースにケーブル識別情報がプリントされた通信用ケーブルに関する。
【背景技術】
【０００２】
電気通信ケーブルあるいは光通信ケーブル等の通信用ケーブルには、布設線路の保守管理のため、ケーブル識別用のマーク、文字等が付されている。このマーク、文字等の識別情報としては、通信用ケーブルのシース（絶縁外皮部材）の外面に、通信用ケーブルを識別する社名、製造品名、製造番号等をプリントすることが知られている（例えば、特許文献１参照）。
【先行技術文献】
【特許文献】
【０００３】
【特許文献１】特開２００２−１０９９６９号公報
【発明の概要】
【発明が解決しようとする課題】
【０００４】
ところで、建物が密集する地域では、光通信ケーブルは地下管路に布設されることが多い。この場合、地下管路を有効に活用するために、同一の管路に複数の光通信ケーブルが布設される。この光通信ケーブルの布設時に、ケーブル同士が擦れ合ったり、ケーブルと管路内壁面とが擦れ合うことがある。その結果、シース外面にプリントされたケーブル識別情報が汚損されたり剥がれ落ちることがあり、ケーブルの識別が困難になる。特許文献１に開示のように、ケーブルシースに複数本の識別用記号を付したとしても、判読が難しくなることがある。
【０００５】
本発明は、かかる実情に鑑みてなされたものであり、シース外面にプリントされたケーブル識別情報が汚損されたり剥がれ落ちたりすることを防止した通信用ケーブルを提供することを目的とする。
【課題を解決するための手段】
【０００６】
本発明による通信用ケーブルは、複数の信号線等を収納したケーブルコアの外周をシースで覆ったもので、シースの外面に溝状の凹部を有し、凹部に通信用ケーブルを識別する識別情報がプリントされる。凹部は、長手方向に沿って連続的又は間欠的に形成され、また、該凹部を螺旋状又はＳＺ状に複数条形成してもよい。凹部の深さは、シースの厚みの１０％以上であることが好ましい。
【発明の効果】
【０００７】
本発明によれば、通信用ケーブルの布設時にケーブル同士が擦れ合っても、ケーブル識別情報がプリントされた部分が他のケーブルと接触しにくくなるので、ケーブル識別情報の汚損、剥がれ落ちを防止でき、ケーブルの識別を確保することができる。
【図面の簡単な説明】
【０００８】
【図１】本発明による通信用ケーブルの一例を説明する図である。
【図２】本発明による通信用ケーブルの他の例を説明する図である。
【図３】本発明による通信用ケーブルのシースに形成された凹部を説明する図である。
【発明を実施するための形態】
【０００９】
図１（Ａ）は、本発明に係る通信用ケーブルの斜視図である。以下、通信用ケーブルとして光通信ケーブルを例示して説明する。通信用ケーブル１は、ケーブルコア１１と、ケーブルコア１１を覆うシース（外被ともいう）１２等から構成される。ケーブルコア１１は、光ファイバ心線が収納されるスロット溝を複数設けたスロット（スペーサともいう）から構成され、このスロット外周に押さえ巻きテープ（図示せず）が巻かれている。シース１２は、黒色ポリエチレン等の樹脂からなり、ケーブルコア１１を覆う。
【００１０】
シース１２の外面には、溝状の凹部１３が、通信用ケーブル１の長手方向に沿って、切れ目無く連続的に形成されている。凹部１３の底面部１３ａには、ケーブル識別情報１４がプリントされている。図示例では、ケーブル識別情報として“ＣＯＭＭＵＮＩＣＡＴＩＯＮ  ＣＡＢＬＥ      Ａ１”がプリントされている。
【００１１】
ケーブル識別情報のプリントは、公知のプリント方法、例えば、インクジェットプリンタ、スタンプ、ロール印刷等により行うことができる。インクジェットプリンタにより凹部１３の底面部１３ａにケーブル識別情報をプリントする場合、凹部１３の底面部１３ａにインクジェットプリンタのヘッド部を合わせ、通信用ケーブルの長手方向に沿って移動させればよい。
このように、凹部の底面部にケーブル識別情報をプリントすることで、例えば、通信用ケーブルの布設時にケーブル同士が擦れ合っても、ケーブル識別情報がプリントされた凹部の底面部が、他のケーブルと接触しにくくなるので、ケーブル識別情報の汚損、剥がれ落ちを防止できる。
【００１２】
図１（Ａ）に示した通信用ケーブル１の凹部１３は、ケーブルの両端にわたり連続的に形成されているが、間欠的に形成してもよい。図１（Ｂ）は、凹部を間欠的に形成した通信用ケーブルの斜視図である。通信用ケーブル２は、図１（Ａ）で説明したのと同様に、ケーブルコア２１、シース２２等から構成されている。シース２２の外面には、溝状の凹部２３が、通信用ケーブル１の長手方向に沿って、間欠的に複数形成されている。凹部２３の底面部２３ａには、ケーブル識別情報２４がプリントされている。
このように、凹部の底面部にケーブル識別情報をプリントすることで、ケーブル識別情報の汚損、剥がれ落ちを防止できる。
【００１３】
他にも凹部を様々に形成することができる。図２（Ａ）は、本発明の他の通信用ケーブルの斜視図である。通信用ケーブル３は、ケーブルコア３１、シース３２等から構成されている。シース３２の外面には、溝状の凹部３３が、通信用ケーブル３の長手方向に沿って、螺旋状に複数条形成されている。また、長手方向に沿って、凹部３３に、ケーブル識別情報３４がプリントされている。ケーブル識別情報３４は、凹部３３の底面部３３ａだけではなく、凹部３３の頂部３３ｂにもプリントされている。
【００１４】
頂部３３ｂにプリントされているケーブル識別情報は、例えば、通信用ケーブルの布設時にケーブル同士が擦れ合うと、剥がれ落ちることがある。しかし、剥がれ落ちる部分は頂部３３ｂの近傍部分に限られるので、ケーブルが全く識別できなくなることはない。また、この通信ケーブルでは、図１で説明したように、凹部の底面部に識別情報がプリントされるように、インクジェットプリンタヘッド部を正確に位置決めする必要がなくなり、製造工程の簡略化を図ることができる。
【００１５】
図２（Ａ）に示した通信用ケーブル３の凹部は、螺旋状に複数条形成されているが、ＳＺ状に複数条形成してもよい。図２（Ｂ）は、凹部をＳＺ状に複数条形成した通信用ケーブルの斜視図である。通信用ケーブル４は、ケーブルコア４１、シース４２等から構成されている。シース４２の外面には、溝状の凹部４３が、通信用ケーブル４の長手方向に沿って、ＳＺ状に複数条形成されている。また、長手方向に沿って、凹部４３に、ケーブル識別情報４４がプリントされている。ケーブル識別情報４４は、凹部４３の底面部４３ａだけではなく、凹部４３の頂部４３ｂにもプリントされている。
【００１６】
図３は、図１（Ａ）に示した、通信用ケーブル１の断面図である。凹部１３の底面部１３ａにおける最底部位１３ａ’と天井面１３ｂとの距離、つまり、凹部１３の深さｄ１は、一点鎖線Ｃで示すように、ケーブル同士が重なり合っても、凹部１３の凹んだ面（底面部１３ａ）が接触したり擦れ合わないような深さで形成する。具体的には、凹部１３の深さｄ１は、シース１２の厚みｄ２の１０％以上であることが好ましい。例えば、標準的なシース厚は、約１.５ｍｍなので、この場合、凹部１３の深さｄ１は、約０.１５ｍｍ以上であることが好ましい。凹部１３の底面部１３ａはＵ字状に形成した例で示しているが、平面状であってもよい。なお、他の通信用ケーブル（２〜４）の凹部についても同様である。
【００１７】
以上説明したように凹部を形成し、当該凹部に通信用ケーブル識別情報をプリントすることで、例えば、通信用ケーブルの布設時にケーブル同士が擦れ合っても、ケーブル識別情報の汚損、剥がれ落ちを防止できる。なお、上記の実施例では、通信用ケーブルとして光通信ケーブルを例示して説明したが、光通信ケーブル以外の通信用ケーブル、例えば、電気通信ケーブルについても本発明を適用できる。
【符号の説明】
【００１８】
１，２，３，４…通信用ケーブル、１１，２１，３１，４１…ケーブルコア、１２，２２，３２，４２…シース、１３，２３，３３，４３…凹部、１３ａ，２３ａ，３３ａ，４３ａ…底面部、１３ａ’…底面部の最底部位、１３ｂ…天井面、１４，２４，３４，４４…ケーブル識別情報、３３ｂ，４３ｂ…頂部。
【図１】
2011023274.tif 000003
【図２】
2011023274.tif 000004
【図３】
2011023274.tif 000005